(57)【要約】【課題】液体仕上剤投入時に適正量以上の量の液体仕上剤を投入されるおそれをなくし、衣類の黒ずみを解消できるドラム式洗濯機を実現すること。【解決手段】洗剤収容容器２１は、液体仕上剤を投入する液体仕上剤収容部２４と、液体仕上剤収容部２４の底部に設けた筒状の突出部である液体仕上剤投入口２４ｂに嵌合する収容部蓋板２５を備え、液体仕上剤収容部２４の底部には傾斜した段部２７を設けるとともに、段部２７の上面と液体仕上剤投入口２４ｂの上端とを近接させて液体仕上剤投入口２４ｂの周囲に狭部２８を設けた構成としたことにより、液体仕上剤の投入量が少ない場合にも、狭部２８により液体仕上剤の水位があがり、見た目に投入量を少なく感じさせないため、液体仕上剤を大量に投入され、衣類が黒ずむといった可能性を排除できる。【選択図】図２
2010240047.tif 000002
【特許請求の範囲】
【請求項１】
略水平方向または傾斜方向に回転中心軸を有する回転ドラムと、前記回転ドラムを内包する水槽と、洗剤を収容する洗剤収容容器と、前記洗剤収容容器に設けられた液体仕上剤を投入する液体仕上剤収容部と、前記洗剤収容容器に注水を行う注水蓋体と、前記液体仕上剤収容部に設けられ、前記注水蓋体からの注水終了後、前記液体仕上剤収容部内の液体仕上剤を含む液体がサイフォンの原理で前記水槽内に排出される液体仕上剤投入路と、前記液体仕上剤収容部の底部に前記液体仕上剤投入路に向けて開口して設けた筒状の突出部である液体仕上剤投入口に嵌合する収容部蓋板とを備え、前記液体仕上剤収容部の底部には傾斜した段部を設けるとともに、前記段部の上面と前記液体仕上剤投入口の上端とを近接させて前記液体仕上剤投入口の周囲に狭部を設けたことを特徴とするドラム式洗濯機。
【請求項２】
収容部蓋板に液体仕上剤投入量の目安を表示した仕切板を狭部に対向する位置に設けたことを特徴とする請求項１記載のドラム式洗濯機。
【発明の詳細な説明】
【技術分野】
【０００１】
本発明は、略水平方向または傾斜方向の回転軸を中心に回転自在に配設した回転ドラム内で洗濯物を洗濯、すすぎ、脱水、乾燥するドラム式洗濯機に関するものである。
【背景技術】
【０００２】
従来、この種のドラム式洗濯機は図５、図６、図７に示すように構成していた。図５は従来のドラム式洗濯機の縦断面図、図６は従来のドラム式洗濯機の洗剤収容容器部分の構造の斜視図、図７は従来のドラム式洗濯機の洗剤収容容器部分の側面断面図である。以下、その構成について説明する。
【０００３】
ドラム式洗濯機１０１は、洗濯機筐体１０２内に図示しないサスペンション構造によって水槽１０３が宙吊り状態に配設され、水槽１０３内に有底円筒形に形成された回転ドラム１０４が配設されている。回転ドラム１０４は水槽１０３の背面側に取り付けられたモータ１０６によって正転及び逆転方向に回転駆動される。この洗濯機筐体１０２の上部に、洗剤を収容する洗剤収容容器１２１と、給水配管に接続されて洗剤収容容器１２１に給水する給水路１３１と、断面視略コ字状に形成され、その上面に注水蓋体１３０を固定するとともに、この注水蓋体１３０との間に形成された空間に洗剤収容容器１２１を引き出し自在に収容する洗剤投入部枠体１４０と、を備えた洗剤投入部１２０が配設されている。
【０００４】
洗剤投入部枠体１４０は、その上面に注水蓋体１３０が固定され、この洗剤投入部枠体１４０と注水蓋体１３０とで囲まれた空間に洗剤収容容器１２１を収納し、引き出し自在に支持するとともに、その底部に洗剤液供給路１４１が形成されており、洗剤収容容器１２１に収容された洗剤に注水蓋体１３０から供給された水が混合された各種の洗剤混合液は、この洗剤液供給路１４１およびこの洗剤液供給路１４１に接続された給水経路１２６を経由して、水槽１０３に送給される。
【０００５】
洗剤収容容器１２１には、粉末合成洗剤を収容する粉末洗剤収容部１２２と、液体洗剤や液体漂白剤を収容する液体洗剤収容部１２３と、液体仕上剤を収容する液体仕上剤収容部１２４とを備えて構成されている。液体洗剤収容部１２３と液体仕上剤収容部１２４に対向する位置にそれぞれ液体洗剤受入口１２５ａと液体仕上剤受入口１２５ｂとが開口された収容部蓋板１２５が、液体洗剤収容部１２３と液体仕上剤収容部１２４の上方を覆っている。そして、液体洗剤収容部１２３と液体仕上剤収容部１２４の底部には、それぞれ管状の液体洗剤投入口１２３ｂと液体仕上剤投入口１２４ｂが上方にむけて立設されているとともに、収容部蓋板１２５には、それぞれ液体洗剤投入口１２３ｂと液体仕上剤投入口１２４ｂを外方より覆い、下端が液体洗剤収容部１２３と液体仕上剤収容部１２４の底面に達する円筒形状の一対の管状突出部１２５ｃが下方に向けて立設されている。
【０００６】
液体仕上剤収容部１２４は、上方に開口を設けた箱状の形状をしており、底面は液体仕上剤投入口１２４ｂの根元に向かって緩やかな下り勾配を持つ。また、液体仕上剤収容部１２４においては、濃縮された液体仕上剤を水で薄め使用していただく場合にも液体仕上剤投入口１２４ｂから薄められた液体仕上剤が流れ出さない必要があり、そのため液体仕上剤収容部１２４の容積は、液体仕上剤投入適正量の２〜３倍としている（例えば、特許文献１参照）。
【０００７】
このように構成された洗剤投入部１２０では、洗濯工程において、注水蓋体１３０の下面にある注水口１３３から粉末洗剤収容部１２２、および液体洗剤収容部１２３に注水さ
れ、また、すすぎ工程において、注水口１３３から液体仕上剤収容部１２４に注水される。そして、洗濯工程において、粉末洗剤収容部１２２で粉末合成洗剤を希釈拡散した洗剤液は、洗剤液供給路１４１および給水経路１２６を通じて水槽１０３内に送給されるとともに、同時に、液体洗剤収容部１２３で液体洗剤を希釈拡散した洗剤液は、サイフォンの原理により洗剤液供給路１４１および給水経路１２６を経由して、水槽１０３に送給される。また、すすぎ工程において、液体仕上剤収容部１２４で液体仕上剤を希釈拡散した仕上液は、同様に、洗剤液供給路１４１および給水経路１２６を経由して、水槽１０３に送給される。
【特許文献１】特開２００４−３１３３１８号公報
【発明の開示】
【発明が解決しようとする課題】
【０００８】
このような従来の構成では、液体仕上剤収容部１２４の容積が液体仕上剤投入適正量の２〜３倍あり、さらに液体仕上剤収容部１２４の形状が底面に緩やかな勾配を持つだけの単純な箱形状であるがために、液体仕上剤を適正量投入した場合にも、水位がほとんど上がらず、見た目に投入量が少ないように感じる懸念があった。それゆえ、液体仕上剤投入時に適正量以上の量の液体仕上剤を投入されるおそれがあり、それにより、衣類が黒ずむという課題を持っていた。
【０００９】
本発明は上記従来の課題を解決するもので、液体仕上剤を大量投入される恐れのない液体仕上剤収容部を持つ洗剤収容容器を備えたドラム式洗濯機を提供することを目的としている。
【課題を解決するための手段】
【００１０】
上記目的を達成するために本発明は、略水平方向または傾斜方向に回転中心軸を有する回転ドラムと、前記回転ドラムを内包する水槽と、洗剤を収容する洗剤収容容器と、前記洗剤収容容器に設けられた液体仕上剤を投入する液体仕上剤収容部と、前記洗剤収容容器に注水を行う注水蓋体と、前記液体仕上剤収容部に設けられ、前記注水蓋体からの注水終了後、前記液体仕上剤収容部内の液体仕上剤を含む液体がサイフォンの原理で前記水槽内に排出される液体仕上剤投入路と、前記液体仕上剤収容部の底部に前記液体仕上剤投入路に向けて開口して設けた筒状の突出部である液体仕上剤投入口に嵌合する収容部蓋板とを備え、前記液体仕上剤収容部の底部には傾斜した段部を設けるとともに、前記段部の上面と前記液体仕上剤投入口の上端とを近接させて前記液体仕上剤投入口の周囲に狭部を設けた構成としたものである。
【００１１】
これにより、液体仕上剤の投入量が少ない場合にも、前記狭部により液体仕上剤の水位があがり、見た目に投入量を少なく感じさせないため、液体仕上剤を大量に投入され、衣類が黒ずむといった可能性を排除できる。
【発明の効果】
【００１２】
本発明の洗剤収容容器を備えたドラム式洗濯機の構成によれば、液体仕上剤を大量投入され、衣類が黒ずむといった課題を解決することができる。
【発明を実施するための最良の形態】
【００１３】
本発明の請求項１に記載の発明は、略水平方向または傾斜方向に回転中心軸を有する回転ドラムと、前記回転ドラムを内包する水槽と、洗剤を収容する洗剤収容容器と、前記洗剤収容容器に設けられた液体仕上剤を投入する液体仕上剤収容部と、前記洗剤収容容器に注水を行う注水蓋体と、前記液体仕上剤収容部に設けられ、前記注水蓋体からの注水終了後、前記液体仕上剤収容部内の液体仕上剤を含む液体がサイフォンの原理で前記水槽内に排出される液体仕上剤投入路と、前記液体仕上剤収容部の底部に前記液体仕上剤投入路に
向けて開口して設けた筒状の突出部である液体仕上剤投入口に嵌合する収容部蓋板とを備え、前記液体仕上剤収容部の底部には傾斜した段部を設けるとともに、前記段部の上面と前記液体仕上剤投入口の上端とを近接させて前記液体仕上剤投入口の周囲に狭部を設けた構成としたことにより、液体仕上剤の投入量が少ない場合にも、前記狭部により液体仕上剤の水位があがり、見た目に投入量を少なく感じさせないため、液体仕上剤を大量に投入され、衣類が黒ずむといった可能性を排除できる。
【００１４】
請求項２に記載の発明は、上記請求項１に記載の発明において、収容部蓋板に液体仕上剤投入量の目安を表示した仕切板を前記狭部に対向する位置に設けた構成としたものであり、それにより、液体仕上剤の投入量が見た目に分かり、上記と同様に、液体仕上剤を大量に投入され、衣類が黒ずむといった可能性を排除できる。
【００１５】
以下、本発明の実施の形態について、図面を参照しながら説明する。また、この実施の形態によって本発明が限定されるものではない。
【００１６】
（実施の形態１）
図１は本発明の実施の形態１におけるドラム式洗濯機の縦断面図、図２は同ドラム式洗濯機の洗剤投入部枠体部分の側面断面図、図３は同ドラム式洗濯機の洗剤投入部枠体部分の構造の分解斜視図、図４は同ドラム式洗濯機の洗剤収容容器部分の構造の分解斜視図である。
【００１７】
図１において、ドラム式洗濯機１は、洗濯機筐体２内に図示しないサスペンション構造によって水槽３が宙吊り状態に配設され、水槽３内に有底円筒形に形成された回転ドラム４が配設されている。回転ドラム４は水槽３の背面側に取り付けられたモータ６によって前上がりに傾斜した回転軸を中心に正転及び逆転方向に回転駆動される。この洗濯機筺体２の上部に、洗剤を収容する洗剤収容容器２１と、給水弁７に接続されて、洗剤収容容器２１に給水する給水路３１が設けられた注水蓋体３０とを構成する。なお、回転ドラム４の回転軸は、本実施の形態では前上がりに傾斜させているが、略水平方向であってもよい。
【００１８】
前記注水蓋体３０の下方に、上方に開口を有する有底の断面略コの字状箱体の洗剤投入部枠体４０を配設して、この注水蓋体３０との間に形成された空間部４０ｄに前記洗剤収容容器２１を引き出し自在に収容している。また、洗剤投入部枠体４０の底部には、給水経路２６を前記水槽３に接続配管する。
【００１９】
図２の側面断面図において、洗剤投入部枠体４０と注水蓋体３０とで囲まれた空間部４０ｄには引き出し自在に洗剤収容容器２１が収納され、注水蓋体３０には、洗剤収容容器２１に給水する水の通水路となる通水空間部３７と、その底面に多数の小孔を形成した注水口３３とを構成する。
【００２０】
また、洗剤投入部枠体４０は、その底部に洗剤液供給路４１を一体形成し、洗剤収容容器２１に収容された洗剤（粉末合成洗剤、液体洗剤、液体仕上剤など）に注水蓋体３０からの注水口３３を介して供給された水が滴下して、混合された各種の洗剤混合液は、この洗剤液供給路４１およびこの洗剤液供給路４１に接続された給水経路２６を経由して、水槽３内に供給される。
【００２１】
図３の分解斜視図は、洗剤投入部枠体４０から、洗剤収容容器２１を所定位置以上に引き出し、かつ、注水蓋体３０を上方に取り外した分解状態を示している。
【００２２】
図２、３において、前記注水蓋体３０は、ポリプロピレン樹脂等で構成した２枚の樹脂
成形板が熱溶着されることにより、通水空間部３７を構成し、この通水空間部３７に粉末洗剤収容部２２と液体洗剤収容部２３に水を供給する第１の給水路３１ａと、液体仕上剤収容部２４に水を供給する第２の給水路３１ｂが形成される。
【００２３】
また、洗剤収容容器２１は、洗剤投入部枠体４０に、引き出し自在に収容され、粉末合成洗剤を収容する粉末洗剤収容部２２と、液体洗剤や液体漂白剤を収容する液体洗剤収容部２３と、液体仕上剤を収容する液体仕上剤収容部２４が併設され、洗濯時には前記注水蓋体３０の第１の給水路３１ａから粉末洗剤収容部２２および液体洗剤収容部２３に給水され、すすぎ時には、第２の給水路３１ｂから液体仕上剤収容部２４に給水される。
【００２４】
前記粉末洗剤収容部２２の下流側には粉末洗剤投入路２２ａが形成され、液体洗剤収容部２３の下流側外底部には液体洗剤投入路２３ａが形成され、液体仕上剤収容部２４の外底部下流側には液体仕上剤投入路２４ａが形成され、いずれも給水弁７から給水された水に希釈されて、洗剤液が空間部４０ｄより前記洗剤液供給路４１に流れる様に構成している。
【００２５】
液体仕上剤収容部２４に対向する位置に、液体仕上剤を投入する液体仕上剤受入口２５ｂが開口された収容部蓋板２５が、液体仕上剤収容部２４の上方を覆っている。そして、液体仕上剤収容部２４の底部には、管状の液体仕上剤投入口２４ｂが下端部を液体仕上剤投入路２４ａに向けて開口して上方にむけて立設されているとともに、収容部蓋板２５には、液体仕上剤投入口２４ｂを外方より覆い、下端が液体仕上剤収容部２４の底面に達する円筒形状の管状突出部２５ｃが下方に向けて立設されている。
【００２６】
図４の分解斜視図は、洗剤収容容器２１から収容部蓋板２５を上方に取り外した分解状態を示している。
【００２７】
図２、４において、前記液体仕上剤収容部２４の底部には、液体仕上剤受入口２５ｂの下方に位置させて、液体仕上剤投入口２４ｂに向かって下る方向に傾斜した段部２７が設けてあり、この段部２７の上面の高さ位置は従来のものと比べて高く、液体仕上剤投入口２４ｂの上端の高さ位置に近く設定してある。そして、段部２７の側方かつ液体仕上剤投入口２４ｂの側方に、段部２７の上面より高さが低い狭部２８を液体仕上剤投入口２４ｂに向かって下る方向に傾斜させて設けてある。
【００２８】
このように、前記段部２７の上面と液体仕上剤投入口２４ｂの上端とを近接させることにより前記液体仕上剤投入口２４ｂの周囲に前記段部２７の上面より高さが低い狭部２８を構成している。この構成により、液体仕上剤の投入量が少量であった場合にも、液体仕上剤収容部２４における液体仕上剤の水位を上げることができ、見た目に投入量を少なく感じさせないようにしたので、液体仕上剤を大量に投入され、衣類が黒ずむといった可能性を排除できる。
【００２９】
一方、濃縮された液体仕上剤を水で薄め使用していただく場合にも液体仕上剤投入口２４ｂから薄められた液体仕上剤が流れ出さないよう、液体仕上剤収容部２４には、前記段部２７の上方、つまりは液体仕上剤収容部２４の上側に広がった上部空間２９を形成し、それにより液体仕上剤収容部２４の容積を液体仕上剤投入適正量の２〜３倍としている。
【００３０】
また、前記収容部蓋板２５には、液体仕上剤受入口２５ｂの近傍に液体仕上剤投入量の目安を表示した仕切板２５ｄが前記狭部２８の上方に対向する位置にほぼ水平方向に設けられており、前記仕切板２５ｄを液体仕上剤を適正量投入する目安としている。この構成により、液体仕上剤の投入量が見た目に分かり、液体仕上剤を大量に投入され、衣類が黒ずむといった可能性を排除できる。
【００３１】
以上のような洗剤収容容器２１の構成により、液体仕上剤収容部２４の容積を小さくすることなく、液体仕上剤を大量に投入される可能性を排除し、衣類の黒ずみを防止することができる。
【産業上の利用可能性】
【００３２】
以上のように、本発明にかかるドラム式洗濯機は、液体仕上剤を大量に投入される可能性を排除し、衣類の黒ずみを防止することができるので、液体仕上剤収容部を持つ洗剤収容容器を備えたドラム式洗濯機等として有用である。
【図面の簡単な説明】
【００３３】
【図１】本発明の実施の形態１におけるドラム式洗濯機の縦断面図
【図２】同ドラム式洗濯機の洗剤投入部枠体部分の側面断面図
【図３】同ドラム式洗濯機の洗剤投入部枠体部分の構造の分解斜視図
【図４】同ドラム式洗濯機の洗剤収容容器部分の構造の分解斜視図
【図５】従来のドラム式洗濯機の縦断面図
【図６】従来のドラム式洗濯機の洗剤収容容器部分の構造の斜視図
【図７】従来のドラム式洗濯機の洗剤収容容器部分の側面断面図
【符号の説明】
【００３４】
２  洗濯機筐体
３  水槽
４  回転ドラム
６  モータ
２１  洗剤収容容器
２２  粉末洗剤収容部
２３  液体洗剤収容部
２３ｂ  液体洗剤投入口
２４  液体仕上剤収容部
２４ａ  液体仕上剤投入路
２４ｂ  液体仕上剤投入口
２５  収容部蓋板
２５ｂ  液体仕上剤受入口
２５ｃ  管状突出部
２５ｄ  仕切板
２７  段部
２８  狭部
２９  上部空間
３０  注水蓋体
４０  洗剤投入部枠体
【図１】
2010240047.tif 000003
【図２】
2010240047.tif 000004
【図３】
2010240047.tif 000005
【図４】
2010240047.tif 000006
【図５】
2010240047.tif 000007
【図６】
2010240047.tif 000008
【図７】
2010240047.tif 000009